(57)【要約】【課題】建枠の支柱１に突設されている取付用ピン２に交差筋交い３とアームロック１３と作業者転落防止用防護桟４とを簡単な構成で取り付けるようにする。【解決手段】交差筋交い３の下方に発生する略３角状の空隙Ｃを横断する管状桟本体５と桟本体５の両端部に固着される桟本体取付片６とからなり、管状桟本体５の両端部には偏平筒状のカシメ止め部７が形成され、桟本体取付片６には偏平筒状のカシメ止め部７に嵌合可能な板状の被カシメ止め部８が形成され、管状桟本体５の両端部の偏平筒状のカシメ止め部７に、桟本体取付片６の板状の被カシメ止め部８を嵌合した状態で両カシメ止め部７，８にわたってカシメ止め加工して両者が固着されるようにした。【選択図】図７
2010255202.tif 000002
【特許請求の範囲】
【請求項１】
建枠を形成する支柱と、支柱に突設されている取付用ピンに係嵌して支柱間に架け渡される交差筋交いとを備える枠組足場において、交差筋交いの下方に発生する略３角状の空隙から枠組足場上の作業者が不測に転落しないよう、該空隙を横断するよう水平に取り付けられる作業者転落防止用防護桟であって、交差筋交いの上記空隙を横断する管状桟本体と該桟本体の両端部に固着される桟本体取付片とからなり、管状桟本体の両端部には偏平筒状のカシメ止め部が形成され、桟本体取付片には前記偏平筒状のカシメ止め部に嵌合可能な板状の被カシメ止め部が形成され、前記管状桟本体の両端部の偏平筒状のカシメ止め部に、前記桟本体取付片の板状の被カシメ止め部を嵌合した状態で上記両カシメ止め部にわたってカシメ止め加工して両者が固着されるようになってなる作業者転落防止用防護桟。
【請求項２】
前記桟本体取付片の板状の被カシメ止め部には凹状切欠部が形成され、前記管状桟本体の両端部の偏平筒状のカシメ止め部に、前記桟本体取付片の板状の被カシメ止め部を嵌合した状態で上記両カシメ止め部にわたってカシメ止め加工する際に、前記凹状切欠部に前記管状桟本体のカシメ止め部が凹没状にカシメ止めされて凹没面を形成するようにした請求項１に記載の作業者転落防止用防護桟。
【請求項３】
建枠を形成する支柱と、支柱に突設されている取付用ピンに係嵌して支柱間に架け渡される交差筋交いとからなる枠組足場において、交差筋交いの下方に発生する略３角状の空隙から枠組足場上の作業者が不測に転落しないよう、該空隙を横断するよう水平に取り付けられる作業者転落防止用防護桟であって、交差筋交いの上記空隙を横断する管状桟本体と該桟本体の両端部に固着される桟本体取付片とからなり、該桟本体取付片に、前記交差筋交いが係嵌している取付用ピンに共通して係嵌可能な取付用孔を貫設した板状取付部が形成されると共に、該板状取付部は、前記交差筋交いに隣接して取付用ピンに共通して取り付けられるよう該取付用ピンの有効取付長さ範囲内の厚みに形成されてなる作業者転落防止用防護桟。
【請求項４】
建枠を形成する支柱と、支柱に突設されている取付用ピンに係嵌して支柱間に架け渡される交差筋交いと、支柱を上下にわたって順次枠組みするために上記取付用ピンに共通して係嵌して上下支柱間にわたって取り付けられるアームロックとを備えてなる枠組足場において、交差筋交いの下方に発生する略３角状の空隙から枠組足場上の作業者が不測に転落しないよう、該空隙を横断するよう水平に取り付けられる作業者転落防止用防護桟であって、交差筋交いの上記空隙を横断する管状桟本体と該桟本体の両端部に固着される桟本体取付片とからなり、該桟本体取付片に、前記交差筋交い及び前記アームロックが係嵌している取付用ピンに共通して係嵌可能な取付用孔を貫設した板状取付部が形成されると共に、該板状取付部は、前記交差筋交い及びアームロックに隣接して取付用ピンに共通して取り付けられるよう該取付用ピンの有効取付長さ範囲内の厚みに形成されてなる作業者転落防止用防護桟。
【発明の詳細な説明】
【技術分野】
【０００１】
本発明は、枠組足場の建枠の支柱間に架け渡される交差筋交いの下方に発生している略三角状の空隙を横断して支柱間に水平に架け渡される作業者転落防止用防護桟に関する。
【背景技術】
【０００２】
建築現場で仮設される枠組足場においては、図１３ に示すように、足場板Ｆ１の長手方向両サイドに沿った支柱１，１間に一対の筋交い部材３ａ，３ａからなるＸ形の交差筋交い３が張架されているため、この交差筋交い３が安全柵となって、足場板Ｆ１を渡る作業者の安全を図ることができる。ところが、このような交差筋交い３は、同図から分かるように、その下方側が足場板Ｆ１との間で略三角形に空隙Ｃが発生している状態となっているため、作業者が足場板Ｆ１の上で中腰で作業をするような場合に、上記三角形の空隙Ｃから過って転落する危険性があった。そこで、このような危険を防止するために、交差筋交い３の下部側三角形空隙Ｃを形成する筋交い部材３ａ，３ａに棒状の作業者転落防止用防護桟４を水平に横断して架け渡すようにしている。尚、枠組足場Ｆは、建枠Ｐを形成する両側一対の支柱１，１と両支柱１，１をつなぐ横材１４とによって門形に形成されたもので、交差筋交い３を介して左右に隣り合う支柱１，１の対向する横材１４，１４間に足場板Ｆ１が架け渡され、これが順次上方に向かって枠組みされるようになっている。
【０００３】
上記従来の作業者転落防止用防護桟４は、例えば特許文献１に記載されているが、図１３及びその要部を示す図１２ に概略示すように、１本の棒状の防護桟４からなるもので、この防護桟４の両端部の夫々には、筋交い部材３ａ，３ａを取り付けるための複雑な構造の取付金具１５設けられ、該取付金具１５によって防護桟４を筋交い部材３ａに取り付けるようになっている。
【先行技術文献】
【特許文献】
【０００４】
【特許文献１】特開平１０−３３１４１３号公報
【発明の概要】
【発明が解決しようとする課題】
【０００５】
上記のように防護桟４を筋交い部材３ａに取り付けるには、かなり複雑な構造の取付金具１５を用いなければならず、しかも、図１２、図１３から分かるように、例え防護桟４が交差筋交い３に取り付けられても、防護桟３は、その空隙Ｃの中間部よりもかなり上方に位置し、空隙Ｃを有効に二分するという効果を充分に上げるまでには至っていない。
【０００６】
そこで、考えられることは、対向する支柱１，１間の長さに相当する長さの防護桟の両端部を、支柱１，１に溶接等によって夫々設けてある交差筋交い取付用ピン２、業界ではグラビティロックと呼ばれているが、この取付用ピン２に取り付けるようにすることである。ところが、現在使われている汎用の交差筋交い取付用グラビティロック、即ち取付用ピン２は、図１１ に示すように、ピン２の有効長さＬｅが例えば１８ｍｍしかない。即ち、図１１に示すように、この種の取付用ピン２は、その先端部分にロック爪１６が内部に設けたつる巻きばね等のばねの付勢力によって，ピン表面から突出すると共に、はねの付勢力に抗してピン内部に没入するよう、図示の回動範囲で取付用ピン２から出没可能に取り付けられており、このロック爪の回動軌跡Ｐと支柱１との間が有効取付長さＬｅとなる。一方、交差筋交い３を形成する筋交い部材３ａは、一般に厚みが１．９ｍｍの管状材を使用し、その両端部はプレス加工によって偏平板状に圧潰して、３．８ｍｍの厚さの取付部３ａ１を形成し、これが筋交い部材両端部に形成され、取付用ピン２に取り付けられることになるから、その占有厚みは２倍の７．６ｍｍとなる。またアームロック１３は厚みは３ｍｍである。従って、７．６ｍｍ＋３ｍｍ＝１０．６ｍｍの厚さが取付用ピンに占有され、残り、１８ｍｍ−１０．６ｍｍ＝７．４ｍｍの有効取付長さ範囲内で防護桟の両端部を取り付けられなければならない。ところが、防護桟４の桟本体５も筋交い部材３ａと同じように一般に厚みが１．９ｍｍの管状材が使用され、そのため両端部をプレス加工によって偏平板状に圧潰して取付部を形成するとなれば、厚さが３．８ｍｍで、占有厚みは２倍の７．６ｍｍとなり、取付用ピン２の有効取付長さＬｅを０．２ｍｍ越えるとことになる。
【０００７】
なお、アームロック１３を使用しない場合もあるが、この場合においては、取付用ピン２の有効長さが短いものを使用される場合がある。
【０００８】
従って、防護桟４の桟本体５と桟本体取付片６とが一体のもの、即ち桟本体５の両端部をプレス加工によって偏平板状に形成して桟本体取付片６を形成するようにすれば、安価に製作することができるのであるが、上述のように、これでは、取付用ピン２の取付有効長さＬｅを越えるため採用することができない。
【０００９】
尚、アームロック１３は、必要に応じて、図１２に示すように、下段側の支柱１の上端部に上段側の支柱１の下端部を連結する時にその連結端部どうしをロックするのに使用され、帯状の金属板で弓形状に形成され、その上下両端部にピン孔が設けられたもので、下端部側のピン孔を、下段側支柱１の上端部と上段側支柱１下端部とを貫通する連結ピン１７に挿着し、上端部側のピン孔を、上段側支柱１に設けてある取付用ピン２である交差筋交い取付用グラビティロック２に対し、両側の交差筋交い３，３の筋交い材材３ａ，３ａの端部と共通して重ねて取り付けられるようになっている。
【００１０】
本発明は、上記のような事情に鑑み、現在国内で使用されている上述したような、枠組足場、即ち建枠を形成する支柱に突設されている交差筋交い取付用グラビティロック、即ち取付用ピン２をそのまま利用して、防護桟４を取り付けることができるようにした防護桟４を提供すること目的とする。
【課題を解決するための手段】
【００１１】
上記課題を解決するための手段を、後述する実施形態の参照符号を付して説明すると、請求項１に係る発明の作業者転落防止用防護桟は、建枠Ｐを形成する支柱１と、支柱１に突設されている取付用ピン２に係嵌して支柱１，１間に架け渡される交差筋交い３とを備える枠組足場Ｆにおいて、交差筋交い３の下方に発生する略３角状の空隙Ｃから枠組足場Ｆ上の作業者が不測に転落しないよう、該空隙Ｃを横断するよう水平に取り付けられる作業者転落防止用防護桟４であって、交差筋交い３の上記空隙Ｃを横断する管状桟本体５と該桟本体５の両端部に固着される桟本体取付片６とからなり、管状桟本体５の両端部には偏平筒状のカシメ止め部７が形成され、桟本体取付片６には前記偏平筒状のカシメ止め部７に嵌合可能な板状の被カシメ止め部８が形成され、前記管状桟本体５の両端部の偏平筒状のカシメ止め部７に、前記桟本体取付片６の板状の被カシメ止め部８を嵌合した状態で上記両カシメ止め部７，８にわたってカシメ止め加工して両者が固着されるようにした構成からなる。
【００１２】
又、請求項２に係る発明の作業者転落防止用防護桟は、前記管状桟本体５の板状の被カシメ止め部８には凹状切欠部９が形成され、前記管状桟本体５の両端部の偏平筒状のカシメ止め部７に、前記桟本体取付片６の板状の被カシメ止め部８を嵌合した状態で上記両カシメ止め部７，８にわたってカシメ止め加工する際に、前記凹状切欠部９に前記管状桟本体５のカシメ止め部７が凹没状にカシメ止めされて凹没面１０を形成するようにした請求項１に記載の構成からなる。
【００１３】
又、請求項３に係る発明の作業者転落防止用防護桟は、建枠Ｐを形成する支柱１と、支柱１に突設されている取付用ピン２に係嵌して支柱１，１間に架け渡される交差筋交い３とからなる枠組足場Ｆにおいて、交差筋交い３の下方に発生する略３角状の空隙Ｃから枠組足場Ｆ上の作業者が不測に転落しないよう、該空隙Ｃを横断するよう水平に取り付けられる作業者転落防止用防護桟４であって、交差筋交い３の上記空隙Ｃを横断する管状桟本体５と該桟本体５の両端部に固着される桟本体取付片６とからなり、該桟本体取付片６に、前記交差筋交い３が係嵌している取付用ピン２に共通して係嵌可能な取付用孔１１を貫設した板状取付部１２が形成されると共に、該板状取付部１２は、前記交差筋交い３に隣接して取付用ピン２に共通して取り付けられるよう該取付用ピン２の有効取付長さＬｅ範囲内の厚みに形成されてなる構成からなる。
【００１４】
更に、請求項４に係る発明の作業者転落防止用防護桟は、建枠Ｐを形成する支柱１と、支柱１に突設されている取付用ピン２に係嵌して支柱１，１間に架け渡される交差筋交い３と、支柱１，１を上下にわたって順次枠組みするために上記取付用ピン２に共通して係嵌して上下支柱１，１間にわたって取り付けられるアームロック１３とを備えてなる枠組足場Ｆにおいて、交差筋交い３の下方に発生する略３角状の空隙Ｃから枠組足場Ｆ上の作業者が不測に転落しないよう、該空隙Ｃを横断するよう水平に取り付けられる作業者転落防止用防護桟４であって、交差筋交い３の上記空隙Ｃを横断する管状桟本体５と該桟本体５の両端部に固着される桟本体取付片６とからなり、該桟本体取付片６に、前記交差筋交い３及び前記アームロック１３が係嵌している取付用ピン２に共通して係嵌可能な取付用孔１１を貫設した板状取付部１２が形成されると共に、該板状取付部１２は、前記交差筋交い３及びアームロック１３に隣接して取付用ピン２に共通して取り付けられるよう該取付用ピン２の有効取付長さＬｅ範囲内の厚みに形成されてなる構成からなる。
【発明の効果】
【００１５】
上記解決手段による発明の効果を、後述する実施形態の参照符号を付して説明すると、請求項１に係る発明の作業者転落防止用防護桟Ｆによれば、交差筋交い３の下方に発生する略３角状の空隙Ｃを横断するよう水平に取り付けられる管状桟本体５と該桟本体５の両端部に固着される桟本体取付片６とからなり、桟本体取付片６は、管状桟本体５とは一体のものではなく、管状桟本体５とは別体のものを、管状桟本体５の両端部に固着されるようになっているため、支柱１に突設している取付用ピン２に交差筋交い３の両端部を取り付けてあっても、取付用ピン２の有効取付長さＬｅ範囲内の厚みの桟本体取付片６を選定して、これを管状桟本体５に固着するようにすれば、交差筋交い３を取り付けている取付用ピン２に共通して作業者転落防止用防護桟４を取り付けることができ、作業者転落防止用防護桟４を交差筋交い３に取り付けるための特別な取付金具を必要としないから、それだけ安価に取り付けることができる。しかも、前記従来技術に比べて交差筋交い３の下方に発生する略３角状の空隙Ｃのできるだけ下方の中間部寄りに横断して取り付けることができるため、それだけ効果的な作業者転落防止につながることができる。
【００１６】
また、本発明によれば、管状桟本体５の両端部には偏平筒状のカシメ止め部７が形成され、桟本体取付片６には前記偏平筒状のカシメ止め部７に嵌合可能な板状の被カシメ止め部８が形成され、前記管状桟本体５の両端部の偏平筒状のカシメ止め部７に、前記桟本体取付片６の板状の被カシメ止め部８を嵌合して、桟本体取付片６が管状桟本体５に同軸上に規制されるようにし、この状態で上記両カシメ止め部７，８にわたってカシメ止め加工して両者が互いに抜けないように固着するようになっているため、管状桟本体５に対する桟本体取付片６の固着を堅固に且つ安価に又迅速容易に行うことができる。これに対し、管状桟本体５に対して溶接作業によって桟本体取付片６を固着することも可能ではあるが管状桟本体５に対して桟本体取付片６を堅固に取り付けるためには、両者の固着部全周ないし表裏ににわたって溶接してけれならず、それだけ溶接作業が面倒で溶接作業に多くの時間が取られ、その固着作業が高価となり迅速容易に固着することができない。
【００１７】
又、請求項２に係る発明の作業者転落防止用防護桟は、前記管状桟本体５の板状の被カシメ止め部８には凹状切欠部９が形成され、前記管状桟本体５の両端部の偏平筒状のカシメ止め部７に、前記桟本体取付片６の板状の被カシメ止め部８を嵌合した状態で上記両カシメ止め部７，８にわたってカシメ止め加工するようになっているため、カシメ止め部が凹状切欠部９に喰い込んで確実にカシメ止めすることができ、管状桟本体５からの桟本体取付片６の抜け止め作用を確実に達成することができる。
【００１８】
しかも、カシメ止め部７が凹状切欠部９に喰い込んだ現象は、該カシメ止め部７が凹没状に圧潰され凹没面１０を形成されることから容易に検知することができ、それだけ両者のカシメ止め作用を確実に把握することがてきる。
【００１９】
又、請求項３に係る発明の作業者転落防止用防護桟によれば、交差筋交い３の下方に発生する略３角状の空隙Ｃを横断するよう水平に取り付けられる管状桟本体５と該桟本体５の両端部に固着される桟本体取付片６とからなり、桟本体取付片６は、管状桟本体５とは一体のものではなく、管状桟本体５とは別体のものからなり、該桟本体取付片６に、前記交差筋交い３が係嵌している取付用ピン２に共通して係嵌可能な取付用孔１１を貫設した板状取付部１２が形成されると共に、該板状取付部１２は、前記交差筋交い３に隣接して取付用ピン２に共通して取り付けられるよう該取付用ピン２の有効取付長さＬｅ範囲内の厚みに形成されてなるため、交差筋交い３を取り付けている取付用ピン２に共通して作業者転落防止用防護桟４を取り付けることができ、作業者転落防止用防護桟４を交差筋交い３に取り付けるための特別な取付金具を必要としないから、それだけ安価に取り付けることができる。しかも、前記従来技術に比べて交差筋交い３の下方に発生する略３角状の空隙Ｃのできるだけ下方の中間部寄りに横断して取り付けることができるため、それだけ効果的な作業者転落防止につながることができる。
【００２０】
更に、請求項４に係る発明の作業者転落防止用防護桟によれば、交差筋交い３の下方に発生する略３角状の空隙Ｃを横断するよう水平に取り付けられる管状桟本体５と該桟本体５の両端部に固着される桟本体取付片６とからなり、桟本体取付片６は、管状桟本体５とは一体のものではなく、管状桟本体５とは別体のものからなり、該桟本体取付片６に、前記交差筋交い３が係嵌している取付用ピン２に共通して係嵌可能な取付用孔１１を貫設した板状取付部１２が形成されると共に、該板状取付部１２は、前記交差筋交い３に隣接して取付用ピン２に共通して取り付けられるよう該取付用ピン２の有効取付長さＬｅ範囲内の厚みに形成されてなるため、交差筋交い３及びアームロック１３を取り付けている取付用ピン２に共通して作業者転落防止用防護桟４を取り付けることができ、作業者転落防止用防護桟４を交差筋交い３に取り付けるための特別な取付金具を必要としないから、それだけ安価に取り付けることができる。しかも、前記従来技術に比べて交差筋交い３の下方に発生する略３角状の空隙Ｃのできるだけ下方の中間部寄りに横断して取り付けることができるため、それだけ効果的な作業者転落防止につながることができる。
【図面の簡単な説明】
【００２１】
【図１】（ａ）は本発明に係る作業者転落防止用防護桟４の正面図、（ｂ）は平面図である。
【図２】（ａ）は上記防護桟の構成部材である管状桟本体の正面図、（ｂ）は平面図、（ｃ）は側面図である。
【図３】（ａ）は上記防護桟の他の構成部材である桟本体取付片の正面図、（ｂ）は平面図である。
【図４】図１の（ｂ）におけるＡーＡ線断面図である。
【図５】図１の（ｂ）におけるＢーＢ線断面図である。
【図６】図１の（ｂ）におけるＣーＣ線断面図である。
【図７】本発明における一実施形態の使用状態を示す正面図である。
【図８】図７におけるＴ部分の拡大正面図である。
【図９】同部分の横断平面図である。
【図１０】同部分の縦断側面図である。
【図１１】取付用ピンにおける有効取付長さＬｅを説明する図である。
【図１２】従来の作業者転落防止用防護桟４の交差筋交い３に対する取付状態を示す正面図である。
【図１３】枠組足場Ｆに従来の作業者転落防止用防護桟４を取り付けた状態を示す斜視図である。
【発明を実施するための形態】
【００２２】
以下に本発明の実施形態を図面に基づき説明すると、図１の（ａ）及び（ｂ）は本発明に係る作業者転落防止用防護桟４の正面図及び平面図であり、管状桟本体５とその両端部に固着される桟本体取付片６，６とからなり、管状桟本体５は、図２も示すように、その両端部がプレス加工によって偏平に圧潰されて偏平筒状のカシメ止め部７，７に形成される。また桟本体取付片６は、図３にも示すように、その厚みＬ１は例えば３．２ｍｍであり、前記偏平筒状のカシメ止め部７に適嵌合可能な板状の被カシメ止め部８とこれより幅広の板状取付部１２とからなり、該板状取付部１２と被カシメ止め部８との境界部分には位置決め段部１８が形成され、板状の被カシメ止め部８にはその両側縁に凹状切欠部９，９が貫設され、板状取付部１２にはその中央部に長孔状の取付用孔１１が貫設されている。
【００２３】
そして、管状桟本体５の両端部の偏平筒状のカシメ止め部７に桟本体取付片６の板状の被カシメ止め部８を、桟本体取付片６に形成した位置決め段部１８が偏平筒状のカシメ止め部７の端面に当接するまで嵌合して、桟本体取付片６の管状桟本体５からの突出量を正確に規制し、この状態で両カシメ止め部７，８にわたってプレス加工によって圧潰するようにカシメ加工することによって、両者５，６を堅固に固着連結することになる。
即ち、桟本体取付片６の板状の被カシメ止め部８には凹状切欠部９が形成されており、この部分に管状桟本体５の偏平筒状のカシメ止め部７をカシメ加工することによって、図４〜図６に示すように、該カシメ止め部７が凹没面１０を呈することにより、この凹没面１０より両者が確実にカシメ加工されたことを検知することができる。なお、偏平筒状のカシメ止め部７の凹没面１０が形成される反対側の面は平坦面１９に形成される。このため、例えば図１の（ｂ）に示すように、図中左側のカシメ止め部７の表面が凹没面１０を形成し、図中右側のカシメ止め部７の表面が平坦面１９を形成するようにカシメ加工することによって、カシメ加工方向が相違するため、これを交差筋交い３に取り付けたときには、防護桟４の両端部のカシメ止め部７，８の強度を互いに補完し合うことになり、より安全に使用することができる。
【００２４】
また、板状取付部１２に貫設した取付用孔１１を図示のように長孔状に形成することによって、防護桟４の両端部を、所定の対向間隔に立設される支柱１，１の取付用ピン２に取り付ける場合に、その対向間隔がある程度相違しても、その相違を吸収して防護桟４を無理なく取り付けることができる。
【００２５】
図７は、本発明に係る作業者転落防止用防護桟４を枠組足場Ｆの各建枠Ｐ，Ｐ間に取り付けた状態を示すものであり、各建枠Ｐ，Ｐの支柱１，１間に隣り合って取り付けられる交差筋交い３，３は，図８にも示すように、その一対の筋交い部材３ａ，３ａの偏平取付部３ａ１，３ａ１が支柱１，１に突設してある取付用ピン２，２に係嵌し、そして同じ取付用ピン２にアームロック１３の一端部を係嵌し、更に、作業者転落防止用防護桟４の桟本体取付片６をその取付用孔１１によって、同じ取付用ピン２に係嵌することになる。
【００２６】
そしてこれらの取付部材は、ロック爪１６によって抜け出ないように規制される。
【００２７】
図９及び図１０は、支柱１に突設された取付用ピン２の有効取付長さＬｅ（図１１）内に上記各取付部材３，１３，４が無理なく取り付けられるようにした状態を示すものである。
【００２８】
数値によって具体的に説明すると、交差筋交い３の一対の筋交い部材３ａ，３ａの偏平取付部３ａ１，３ａ１の厚みは夫々３．８ｍｍ，３．８ｍｍ、アームロック１３の厚みは３ｍｍ、そして作業者転落防止用防護桟４の両端部の桟本体取付片６の厚みは夫々３．２ｍｍ，３．２ｍｍである。したがって、これらの厚みの合計は、１７．００ｍｍであり、取付用ピン２の有効取付長さＬｅ（図１１）である１８ｍｍの範囲内にあり、充分にこれらの部材を一本の取付用ピン２に共通して余裕をもって取り付けることができ、勿論、アームロック１３の備えないものにあっては、更に余裕をもって取り付けることができるわけである。
【００２９】
上述のように、本発明では、作業者転落防止用防護桟４の管状桟本体５の両端部にこれとは別体の桟本体取付片６を固着するだけで、支柱１に突設されている取付用ピン２を利用して、これに取り付けることができるから、従来のように特別な取付金具を必要としないため、これだけ安価に製作することができる。しかも、作業者転落防止用防護桟４は従来より前記空隙Ｃを可能な限り二分する位置に架け渡すことができるからそれだけ安全度合いが向上する。さらには、管状桟本体５に桟本体取付片６をカシメ加工によって安価に且つ容易迅速に固着することができ、この際に、本実施形態のように管状桟本体５の両端部には偏平筒状のカシメ止め部７を形成し、桟本体取付片６には凹状切欠部９を形成し、両者をカシメ加工するだけでよいからその製作が極めて容易である。
【符号の説明】
【００３０】
Ｆ            枠組足場
Ｆ１          足場板
Ｐ            建枠
Ｃ            空隙
Ｌｅ          取付用ピンの有効取付長さ
１            支柱
２            取付用ピン
３            交差筋交い
３ａ          筋交い部材
４            作業者転落防止用防護桟
５            管状桟本体
６            桟本体取付片
７            偏平筒状のカシメ止め部
８            板状の被カシメ止め部
９            凹状切欠部
１０          凹没面
１１          取付用孔
１２          板状取付部
１３          アームロック
【図１】
2010255202.tif 000003
【図２】
2010255202.tif 000004
【図３】
2010255202.tif 000005
【図４】
2010255202.tif 000006
【図５】
2010255202.tif 000007
【図６】
2010255202.tif 000008
【図７】
2010255202.tif 000009
【図８】
2010255202.tif 000010
【図９】
2010255202.tif 000011
【図１０】
2010255202.tif 000012
【図１１】
2010255202.tif 000013
【図１２】
2010255202.tif 000014
【図１３】
2010255202.tif 000015